(57)【要約】  ネットワーク上のサーバにおいて、メディアの再フォーマットは、第１のフォーマットのメディアオブジェクトが第２のフォーマットへの変換に利用可能であることを示し、第２のフォーマットでのメディアオブジェクトの表示をネットワーク上で受信し、第２のフォーマットでのメディアオブジェクトを第１のフォーマットのメディアオブジェクトと関連付け、表示を少なくとも１つの受信者が利用できるようにすることによって可能となる。該表示は、メディアオブジェクト自体であるか、又はメディアオブジェクトへのリンクとすることができる。【選択図】      図１
2010503065.tif 000002
【特許請求の範囲】
【請求項１】
ネットワーク上のサーバに配置された、メディアの再フォーマットを可能にする装置であって、
第１のフォーマットのメディアオブジェクトが第２のフォーマットへの変換に利用可能であることを示すロジックと、
前記第２のフォーマットでの前記メディアオブジェクトの表示をネットワーク上で受信するロジックと、
前記第２のフォーマットでのメディアオブジェクトを前記第１のフォーマットのメディアオブジェクトと関連付けるロジックと、
前記表示を少なくとも１つの受信者が利用できるようにするロジックと、
を備える装置。
【請求項２】
前記受信ロジックが、前記表示をフォーマット変換者から前記ネットワーク上で受信するように動作可能である、
請求項１に記載の装置。
【請求項３】
前記表示が前記メディアオブジェクト自体である、
請求項１に記載の装置。
【請求項４】
前記表示が前記メディアオブジェクトへのリンクである、
請求項１に記載の装置。
【請求項５】
前記第１のフォーマットでの前記メディアオブジェクトのプロバイダが前記第１のフォーマットのメディアオブジェクトを変換する許可を与えることを可能にするための許可ロジックを更に備える、
請求項１に記載の装置。
【請求項６】
前記第１のフォーマットでの前記メディアオブジェクトのプロバイダが前記第２のフォーマットでの前記メディアオブジェクトの掲載を承認することを可能にするための許可ロジックを更に備える、
請求項１に記載の装置。
【請求項７】
前記許可ロジックが更に、前記フォーマット変換者に関する評価に基づいて該フォーマット変換者に許可を与えるように動作可能である、
請求項５に記載の装置。
【請求項８】
許可された権利を前記第２のフォーマットのメディアオブジェクトに関連付けるための権利管理ロジックを更に備える、
請求項１に記載の装置。
【請求項９】
前記第２のフォーマットのメディアオブジェクトに関連付けられた行動に対して対価を割り当てるロジックを更に備える、
請求項１に記載の装置。
【請求項１０】
前記変換者に関する評価に基づいて、変換すべきメディアオブジェクトを前記変換者に対して提案するレコメンデーションロジックを更に備える、
請求項１に記載の装置。
【請求項１１】
前記変換者の少なくとも１つの選好に基づいて、変換すべきメディアオブジェクトを前記変換者に対して提案するレコメンデーションロジックを更に備える、
請求項１に記載の装置。
【請求項１２】
広告のフォーマットに関する情報を前記ネットワーク上で受信するロジックと、
前記第２のフォーマットのメディアオブジェクトを再生するために広告フォーマットと再生デバイスのフォーマット性能との間の互換性を判定し、互換性が判定された場合に前記広告を前記第２のフォーマットのメディアオブジェクトと関連付ける一致ロジックと、
互換性が判定された場合に前記関連付けを受信者が利用できるようにするロジックと、
を更に備える、
請求項１に記載の装置。
【請求項１３】
前記一致ロジックが更に、前記第２のフォーマットにも基づいて互換性を判定するように動作可能である、
請求項１２に記載の装置。
【請求項１４】
前記第２のフォーマットでの前記メディアオブジェクトの提示に対して前記広告の配置を決定するための配置ロジックを更に備える、
請求項１２に記載の装置。
【請求項１５】
前記第２のフォーマットのメディアオブジェクトに関連付けられたメタデータに基づいて配置を決定するよう動作可能である、
請求項１４に記載の装置。
【請求項１６】
前記配置ロジックが、前記広告に関連付けられたメタデータに基づいて配置を決定するよう動作可能である、
請求項１４に記載の装置。
【請求項１７】
メディアの再フォーマットを可能にする方法であって、前記方法がネットワーク上のサーバにおいて、
第１のフォーマットのメディアオブジェクトが第２のフォーマットへの変換に利用可能であることを示す段階と、
前記第２のフォーマットでの前記メディアオブジェクトの表示をネットワーク上で受信する段階と、
前記第２のフォーマットでのメディアオブジェクトを前記第１のフォーマットのメディアオブジェクトと関連付ける段階と、
前記表示を少なくとも１つの受信者が利用できるようにする段階と、
を含む方法。
【請求項１８】
前記受信段階が、前記表示をフォーマット変換者から前記ネットワーク上で受信する段階を含む、
請求項１７に記載の方法。
【請求項１９】
前記表示が前記メディアオブジェクト自体である、
請求項１７に記載の方法。
【請求項２０】
前記表示が前記メディアオブジェクトへのリンクである、
請求項１７に記載の方法。
【請求項２１】
前記第１のフォーマットでの前記メディアオブジェクトのプロバイダが前記第１のフォーマットのメディアオブジェクトを変換する許可を与えることを可能にする段階を更に含む、
請求項１７に記載の方法。
【請求項２２】
前記第１のフォーマットでの前記メディアオブジェクトのプロバイダが前記第２のフォーマットでの前記メディアオブジェクトの掲載を承認することを可能にする段階を更に含む、
請求項１７に記載の方法。
【請求項２３】
前記許可ロジックが更に、前記フォーマット変換者に関する評価に基づいて該フォーマット変換者に許可を与えるように動作可能である、
請求項２２に記載の方法。
【請求項２４】
許可された権利を前記第２のフォーマットのメディアオブジェクトに関連付ける段階を更に含む、
請求項１７に記載の方法。
【請求項２５】
前記第２のフォーマットのメディアオブジェクトに関連付けられた行動に対して対価を割り当てる段階を更に含む、
請求項１７に記載の方法。
【請求項２６】
前記変換者に関する評価に基づいて、変換すべきメディアオブジェクトを前記変換者に対して提案する段階を更に含む、
請求項１７に記載の方法。
【請求項２７】
前記変換者の少なくとも１つの選好に基づいて、変換すべきメディアオブジェクトを前記変換者に対して提案する段階を更に含む、
請求項１７に記載の方法。
【請求項２８】
広告のフォーマットに関する情報を前記ネットワーク上で受信する段階と、
前記広告フォーマットと前記第２のフォーマットとの間の互換性を判定する段階と、
互換性が判定された場合に前記広告を前記第２のフォーマットのメディアオブジェクトと関連付ける段階と、
互換性が判定された場合に前記関連付けを受信者が利用できるようにする段階と、
を更に含む、
請求項１７に記載の方法。
【請求項２９】
前記互換性を判定する段階が、前記第２のフォーマットのメディアオブジェクトを再生するために再生デバイスのフォーマット性能に更に基づいて互換性を判定する段階を含む、
請求項２８に記載の方法。
【請求項３０】
前記第２のフォーマットでの前記メディアオブジェクトの提示に対して前記広告の配置を決定する段階を更に含む、
請求項２８に記載の方法。
【請求項３１】
前記配置を決定する段階が、前記第２のフォーマットのメディアオブジェクトに関連付けられたメタデータに基づいて配置を決定する段階を含む、
請求項３０に記載の方法。
【請求項３２】
前記配置を決定する段階が、前記広告に関連付けられたメタデータに基づいて配置を決定する段階を含む、
請求項３０に記載の方法。
【請求項３３】
メディアの再フォーマットを可能にする命令を含むコンピュータ可読媒体であって、前記命令が、
第１のフォーマットのメディアオブジェクトが第２のフォーマットへの変換に利用可能であることを示す段階と、
前記第２のフォーマットでの前記メディアオブジェクトの表示をネットワーク上で受信する段階と、
前記第２のフォーマットでのメディアオブジェクトを前記第１のフォーマットのメディアオブジェクトと関連付ける段階と、
前記表示を少なくとも１つの受信者が利用できるようにする段階と、
を含む方法を実施させるものである、
ことを特徴とするコンピュータ可読媒体。
【請求項３４】
前記受信段階が、前記表示をフォーマット変換者から前記ネットワーク上で受信する段階を含む、
請求項３３に記載のコンピュータ可読媒体。
【請求項３５】
前記表示が前記メディアオブジェクト自体である、
請求項３３に記載のコンピュータ可読媒体。
【請求項３６】
前記表示が前記メディアオブジェクトへのリンクである、
請求項３３に記載のコンピュータ可読媒体。
【請求項３７】
前記方法が、
前記第１のフォーマットでの前記メディアオブジェクトのプロバイダが前記第１のフォーマットのメディアオブジェクトを変換する許可を与えることを可能にする段階を更に含む、
請求項３３に記載のコンピュータ可読媒体。
【請求項３８】
前記方法が、
前記第１のフォーマットでの前記メディアオブジェクトのプロバイダが前記第２のフォーマットでの前記メディアオブジェクトの掲載を承認することを可能にする段階を更に含む、
請求項３３に記載のコンピュータ可読媒体。
【請求項３９】
前記方法が、
前記第１のフォーマットでの前記メディアオブジェクトのプロバイダが前記フォーマット変換者に関する評価に基づいて該フォーマット変換者に許可を与える段階を更に含む、
請求項３３に記載のコンピュータ可読媒体。
【請求項４０】
前記方法が、
許可された権利を前記第２のフォーマットのメディアオブジェクトに関連付ける段階を更に含む、
請求項３３に記載のコンピュータ可読媒体。
【請求項４１】
前記方法が、
前記第２のフォーマットのメディアオブジェクトに関連付けられた行動に対して対価を割り当てる段階を更に含む、
請求項３３に記載のコンピュータ可読媒体。
【請求項４２】
前記方法が、
前記変換者に関する評価に基づいて、変換すべきメディアオブジェクトを前記変換者に対して提案する段階を更に含む、
請求項３３に記載のコンピュータ可読媒体。
【請求項４３】
前記方法が、
前記変換者の少なくとも１つの選好に基づいて、変換すべきメディアオブジェクトを前記変換者に対して提案する段階を更に含む、
請求項３３に記載のコンピュータ可読媒体。
【請求項４４】
前記方法が、
広告のフォーマットに関する情報を前記ネットワーク上で受信する段階と、
前記第２のフォーマットのメディアオブジェクトを再生するために前記広告フォーマットと再生デバイスのフォーマット性能との間の互換性を判定する段階と、
互換性が判定された場合に前記広告を前記第２のフォーマットのメディアオブジェクトと関連付ける段階と、
互換性が判定された場合に前記関連付けを受信者が利用できるようにする段階と、
を更に含む、
請求項３３に記載のコンピュータ可読媒体。
【請求項４５】
前記方法が、
前記第２のフォーマットに更に基づいて互換性を判定する段階を更に含む、
請求項４４に記載のコンピュータ可読媒体。
【請求項４６】
前記方法が、
前記第２のフォーマットでの前記メディアオブジェクトの提示に対して前記広告の配置を決定する段階を更に含む、
請求項４４に記載のコンピュータ可読媒体。
【請求項４７】
前記配置を決定する段階が、前記第２のフォーマットのメディアオブジェクトに関連付けられたメタデータに基づいて配置を決定する段階を含む、
請求項４６に記載のコンピュータ可読媒体。
【請求項４８】
前記配置を決定する段階が、前記広告に関連付けられたメタデータに基づいて配置を決定する段階を含む、
請求項４６に記載のコンピュータ可読媒体。
【発明の詳細な説明】
【技術分野】
【０００１】
本発明は一般に、ユーザ生成コンテンツの分野に関し、詳細には、このようなコンテンツの作成者、修正者、及び消費者がネットワーク上でより自由に対話できるようにすることに関する。
【背景技術】
【０００２】
この１０年は、主流メディア（ＭＳＭ）プロバイダによるコンテンツだけでなく、これまでは受動的な消費者としての役割を担っていた個人のユーザによって生成されたコンテンツが急増した年であった。例えば、個人ユーザは現在、自分のウェブサイト及びブログを容易に作成することができる。詳細には、ユーザ生成のウェブサイト及びブログは、ＭＳＭに代わってニュース及びエンターテイメントの供給源として人気が高まっている。一部のユーザはまた、他の人が作成したメディアの修正又は改良で創造性を表現している。例えば、ユーザは、楽曲のオーディオトラックをビデオ及びグラフィックを含んだ音楽ビデオクリップに変換しようとすることができる。別のユーザは、テキストを音声に変換してオーディオブックを作成しようとすることができる。
メディアコンバータは、コンテンツの利用に対してコンテンツ創作者に報酬又は他の対価を提供しようとすることができる。逆に、コンテンツ創作者は、オリジナルのメディアの変換を促進させようとすることができる。更に、複数のソースにより提供された変換コンテンツのアグリゲータは、一般に、こうしたソースに報酬を支払おうとする（結果としてコンバータ及び創作者双方に収益をもたらすことができる）ことになる。
変換者／修正者が修正するコンテンツを見つけ易くし、他方、コンテンツ創作者が作品を修正する変換者／修正者を見つけて易くするため、ネットワーク化された市場を提供することが望ましい。また、変換が許可されていること、及び当事者に報酬が提供されることを保証すると、オリジナルのメディア及び変換メディアの権利を管理するのに有利となる。
【発明の概要】
【課題を解決するための手段】
【０００３】
ネットワーク上のサーバにおいて、メディアの再フォーマットは、第１のフォーマットのメディアオブジェクトが第２のフォーマットへの変換に利用可能であることを示し、第２のフォーマットでのメディアオブジェクトの表示をネットワーク上で受信し、第２のフォーマットでのメディアオブジェクトを第１のフォーマットのメディアオブジェクトと関連付け、表示を少なくとも１つの受信者が利用できるようにすることによって可能となる。該表示は、フォーマット変換者からネットワーク上で受信することができ、メディアオブジェクト自体であるか、又はメディアオブジェクトへのリンクとすることができる。
【０００４】
第１のフォーマットでのメディアオブジェクトのプロバイダは、第１のフォーマットのメディアオブジェクトを変換する許可を与えることができ、この場合許可は、フォーマット変換者に関する評価に基づくことができる。第１のフォーマットでのメディアオブジェクトのプロバイダは、第２のフォーマットでのメディアオブジェクトの掲載を承認することができる。許可された権利を第２のフォーマットのメディアオブジェクトに関連付けることによってデジタル著作権管理を可能にすることができる。サーバはまた、第２のフォーマットのメディアオブジェクトに関連付けられた行動に対して対価を割り当てることができる。サーバは、変換者に関する評価に基づいて、変換すべきメディアオブジェクトを変換者に対して提案することができる。
【０００５】
サーバは、広告のフォーマットに関する情報をネットワーク上で受信し、第２のフォーマットのメディアオブジェクトを再生するために広告フォーマットと再生デバイスのフォーマット性能との間の互換性を判定し、互換性が判定された場合に広告を第２のフォーマットのメディアオブジェクトと関連付け、互換性が判定された場合に関連付けを受信者が利用できるようにすることができる。互換性はまた、第２のフォーマットにも基づくことができる。サーバは、例えば、第２のフォーマットのメディアオブジェクトに関連付けられたメタデータ、又は広告に関連付けられたメタデータに基づいて、第２のフォーマットでのメディアオブジェクトの提示に対して広告の配置を決定することができる。
【図面の簡単な説明】
【０００６】
【図１】本発明の実施形態によるコンピュータネットワーク環境を示す図である。
【図２】本発明の実施形態によるフロー図を示す図である。
【図３】本発明の実施形態で使用することができる例示的なコンピュータシステムの図である。
【発明を実施するための形態】
【０００７】
図１は、本発明の実施形態によるコンピュータネットワーク環境を示している。ネットワーク環境は、コンテンツ創作者１０２、コンテテンツ変換者１０４、サービスプロバイダ１０６、コンテンツ再配給業者１０８、広告主１１０、及びコンテンツ消費者１１２を含み、全てインターネットなどのネットワーク１１４上で互いに通信状態にある。列挙されたエンティティの各々は、別個のクライアント／サーバを利用することができ、或いは、便宜上、クライアント／サーバを共用することもできる。
【０００８】
図２は、本発明の実施形態による例示的なプロセスのフロー図を示している。コンテンツを変換に利用できるようにするために、創作者１０２は、サービスプロバイダ１０６に登録する（２０２）ことができ、サービスプロバイダが変換されることになるコンテンツに市場を提供する。登録中、創作者１０２は、支払い及び変換フォーマットの許容形式などの事項に関する利用規約に合意することができる。
【０００９】
創作者１０２は、コンテンツを作成又は他の方法で提供し、これを変換に利用できるようにする。創作者１０２は、ウェブサイト上、詳細には、例えばＹａｈｏｏ！のようなサービスプロバイダにより利用可能にされるサイト上にコンテンツを掲載することができる（２０４）。創作者１０２は、ウェブサイト上にコンテンツ自体又はコンテンツへのリンクを掲載することができる。サービスプロバイダ１０６は、変換者１０４に新しいコンテンツをプッシュ通知することができ、変換者１０４は、関連するカテゴリー内に含まれるコンテンツの関心を予め登録しておくことができる（２０６）。或いは、コンテンツの潜在的変換者は、サービスプロバイダのサイトを介し、公知の技術を利用してカテゴリー又はメタデータによりコンテンツをサーチすることができる（２０７）。
【００１０】
サービスプロバイダ１０６は、メディアオブジェクトが変換に利用可能であることの標識（例えば、「変換希望」バッジをメディアオブジェクトを見ているクライアントの画面上に表示することができる）を表示に供することによって、メディアコンテンツを変換してもらおうとする創作者の意思を公開することができる（２０４）。標識は、サービスプロバイダにより利用可能にされる変換登録プロセスへのリンクとすることができる。サービスプロバイダ１０６はまた、電子メール、ＳＭＳ、又はＲＳＳを通じた変換者への通知を含む、他の手段を介してコンテンツが変換に利用可能であることを示すことができる。
当業者であれば、本明細書で使用される用語「見る」、「表示する」、又は同様のものが、様々なタイプのメディア（例えば、オーディオ、ビデオ、静止画像）に対してのそれぞれの知覚又は表示の動作を表すことは理解されるであろう。
【００１１】
変換者１０４は、上述の変換標識リンクを通じて、或いはサービスプロバイダのウェブサイト上での直接登録により登録することができる（２０８）。登録中、変換者は、支払い及び他の事項に関する規約に合意することができる。変換者１０４はまた、例えば、テキスト音声変換、実施中のスポーツ実況放送の履歴、音楽ビデオ、その他など、変換能力を技術上及びコンテクスト上の両方でサービスプロバイダ１０６に示すことができる（２１０）。
【００１２】
変換は、例えばテキストから合成音声への変換のような単純な変換とすることができ、及び／又は更に他のコンテンツの追加を含めてもよい。変換の完了後、変換者は、変換したコンテンツ及び関連のメタデータをサービスプロバイダにアップロードすることができる（２１２）。
【００１３】
サービスプロバイダ１０６は、ネットワークアクセス可能な位置にある記憶装置又は他のメモリ内に変換コンテンツを記憶し、消費者志向ウェブサイト又は他のディレクトリ上にユーザサーチ可能形式でメタデータを提供することができる。サービスプロバイダ１０６は、通常はそれぞれのメタデータの関連付けによって、変換メディアオブジェクトを未変換メディアオブジェクトと関連付けることができる。
【００１４】
サービスプロバイダ１０６は、許可された権利を変換メディアオブジェクトに関連付けるデジタル著作権管理（ＤＲＭ）機能を提供することができる。ＤＲＭ機能により、コンテンツ創作者は、例えば変換者の身元又は評価に基づいて特定のメディアオブジェクトを変換する許可を候補変換者に与えることができるようになる（例えば、変換者は、ドラマ題材の高品質なテキスト音声変換を行うことが確認される）。更に、ＤＲＭ機能は、オリジナルフォーマットから許可されたタイプの変換フォーマットへのメディアオブジェクトの変換だけを許可することができる。例えば、コンテンツ創作者は、英語へのテキストの変換だけを許可して他の言語への変換を許可せず、或いは、画像が添付されないオーディオへの楽曲の歌詞の変換を許可することができる。変換後、ＤＲＭ機能により、創作者は、消費者へのリリースに対し変換コンテンツの承認又は非承認を可能にすることができる（直接的に、或いはアグリゲータ又は他の再配給業者などの他者を通じて）。
【００１５】
サービスプロバイダ１０６はまた、レコメンデーションエンジンを含むことができ、変換者の過去の作品（例えばこれまでに実施された変換のタイプ）、選好、及びユーザレビューもしくは人気度などの１又はそれ以上の要因に基づいて、変換する新しいコンテンツを変換者１０４に提案することができる。例えば、変換者は、オリジナルがテキスト形式で作成された野球関連のブログのオーディオ変換を過去に製作した場合がある。レコメンデーションエンジンは、この変換履歴に基づいて他の野球関連ブログを識別し、これらのブログを変換できることを変換者に提案することができる。別の実施例として、変換者が特定の野球チームについてのブログの変換に対して消費者から高い人気度を得た場合には、レコメンデーションエンジンは、当該チームについてのテキストブログをオーディオ変換の候補として識別することができる。
【００１６】
サービスプロバイダ１０６は、変換コンテンツに再フォーマットされるコンテンツに広告を関連付けることができる。広告のメタデータを分析することにより、サービスプロバイダ１０６は、変換フォーマットと広告のフォーマット及び／又は再生デバイスのフォーマット性能との間の互換性を判定し、互換性が見つかった場合には再フォーマットコンテンツに広告を関連付けることができる。（創作者１０２は、サービスプロバイダ１０６に登録する間、再生能力の許容タイプを指定ことができる。）互換性が見つかった場合、サービスプロバイダは、受信者（例えば再配給業者１０８）が関連付けを利用できるようにし、該受信者は、再フォーマットコンテンツを広告と共に表示することができるようになる（２１４、２１５）。
【００１７】
例えば、サービスプロバイダ１０６は、静止画像フォーマット、ビデオフォーマット、又はオーディオフォーマットの広告をこれらのフォーマットのいずれかのメディアオブジェクトと共にウェブページ上に提示できることを判定することができる。しかしながら、ビデオフォーマットの広告は、携帯音楽プレーヤ上でオーディオフォーマットのコンテンツと共に表示することは可能でない可能性がある。広告は、必ずしも変換メディアと同時に又は同じウェブページ上に表示する必要はない点に留意されたい。或いは代替として、広告は、変換メディアの消費者に別個のチャンネル（例えば、電子メール又はＳＭＳ）に送ることができる。
【００１８】
創作者１０２、変換者１０４、及び再配給業者１０８と同様に、広告主１１０は、変換メディア市場の一部となるようサービスプロバイダ１０６に登録することができる（２１６）。広告主１１０は、広告とのコンテンツフォーマットの一致を規定する一致規則をサービスプロバイダ１０６に提供することができる。一致規則は、変換メディアオブジェクトの提示に対して広告の配置を決定するためにサービスプロバイダ１０６が用いることができる。例えば、一致規則は、変換メディアオブジェクトに関連するメタデータに基づいて、或いは広告自体に関連するメタデータに基づいて変換メディアオブジェクトの提示中に広告の空間的又は時間的位置を決定することができる。後者のケースでは、広告メタデータは、類似の要因並びにスポーツ、車両、ニュースなどの広告に関連付けられる好ましいメディアカテゴリーに関しての広告主１１０の選好を含むことができる。
【００１９】
消費者１１２は、既知のサーチツールを用いてコンテンツをサーチし、検索したコンテンツを消費することができる（２２６）。一部の消費者１１２は、特定の俳優が読み上げるオーディオブックのような指定フォーマットのメディアでのサーチをしようとする場合がある。サービスプロバイダ１０６に関連する変換者１０４により提供されたこうした作品については、サービスプロバイダ１０６は、消費者１１２がメディアフォーマット、カテゴリー、出演者、その他を含む種々の基準に従ってメディアを登録、リクエスト、又はサーチするのを可能にすることができる（２２１）。詳細には、消費者は、あるフォーマットのコンテンツを別のフォーマットのコンテンツに変換する（例えば、ブログエントリを音声に変換する）ようリクセストすることができる。これに応じて、サービスプロバイダは、消費者による変換者の評価又は特定のリクエストに基づいて適切な変換者を選択し（２２２）、選択した変換者にリクエストフォーマットを通知することができる。次いで、サービスプロバイダは、変換フォーマットリクエストを選択変換者に送信することができる（２２４）。
【００２０】
サービスプロバイダ１０６は、変換メディアオブジェクトに関連するエンティティ間で対価を割り当てることができる（２２０）。対価は、一括手数料、利用ベースロイヤリティ、又は他の金銭的報酬の形態をとることができる。或いは、対価は、対価受信者のサイト上に広告又はリンクを提示する権利などの一定の権利の引き当てを含むことができる。
【００２１】
対価は、当事者らが締結した特定の取り決めに応じて、種々のエンティティ間に割り当てることができる。例えば、変換者１０４は、人気のあるコンテンツを変換して掲載する権利に対してコンテンツ創作者１０２に対価を提供することができる。或いは、創作者１０２は、比較的人気のないコンテンツを変換するよう変換者を奨励するために変換者１０４に対価を提供することができる。両方のケースにおいて、サービスプロバイダ１０６は対価の一部を受け取ることができる。
【００２２】
別の実施例として、コンテンツのアグリゲータ又は他の再配給業者１０８は、創作者１０２及び変換者１０４に対価を提供することができ、対価の一部はサービスプロバイダ１０６に与えられる（例えば、オンライン雑誌の発行元は、テキスト記事からポッドキャストへのオーディオ変換をリクエストする）
【００２３】
消費者による変換コンテンツの最終消費高から対価を得ることができる様々な方法がある。消費者は、定期加入又はペイパービューにより直接支払うことができる。或いは、広告主１１０は、広告と連動して表示され且つ広告に関連する消費者行動に基づいて支払うことができる。このような行動の実施例は、クリック課金、成果報酬（例えば、クリックから得られた販売）、又はインプレッション保証とすることができる。対価は、予め設定された取り決めに従って創作者及び／又は変換者及び／又はサービスプロバイダ間で分配することができる。更に、再配給業者（例えばオンライン雑誌発行者）などのサードパーティの変換リクエスタもまた、対価の分け前を受け取ることができる。
【００２４】
本発明は特定の実施形態及び例示的な図に関して説明してきたが、当業者であれば、本発明は記載された当該実施形態又は図に限定されない点は理解されるであろう。当業者であれば、種々の実施形態の動作は、必要に応じてハードウェア、ソフトウェア、又はこれらの組み合わせを用いて実施することができる点は理解されたい。例えば、一部のプロセスは、ソフトウェア、ファームウェア、又はハードワイヤドのロジックの制御下でプロセッサ又は他のデジタル回路を利用して実施することができる。（本明細書の用語「ロジック」とは、記載の機能を実施するために当業者によって理解されるような、固定ハードウェア、プログラマブルロジック及び／又はこれらの適切な組み合わせを指す。）ソフトウェア及びファームウェアは、コンピュータ可読媒体上に記憶することができる。他の一部のプロセスは、当業者にはよく知られたアナログ回路を用いて実施することができる。加えて、メモリ又は他の記憶装置並びに通信構成要素も本発明の実施形態において利用することができる。
【００２５】
図３は、本発明の実施形態において処理機能を実施するのに利用することができる典型的なコンピュータシステム３００を示している。このタイプのコンピュータシステムは、例えば、クライアント及びサーバで使用することができる。また、当業者であれば、他のコンピュータシステム又はアーキテクチャを用いて本発明を実施する方法を認識するであろう。コンピュータシステム３００は、例えば、所与のアプリケーション又は環境において望ましい又は適切とすることができる、デスクトップ、ラップトップ又はノートブックコンピュータ、ハンドヘルドコンピュータデバイス（ＰＤＡ、携帯電話、パームトップ、その他）、メインフレーム、サーバ、クライアント、或いは何らかの他のタイプの専用もしくは汎用コンピュータデバイスを示すことができる。コンピュータシステム３００は、プロセッサ３０４のような１又はそれ以上のプロセッサを含むことができる。プロセッサ３０４は、例えば、マイクロプロセッサ、マイクロコントローラ、又は他の制御ロジックなどの汎用又は専用のプロセッシングエンジンを用いて実施することができる。この実施例では、プロセッサ３０４は、バス３０２又は他の通信媒体に接続される。
【００２６】
コンピュータシステム３００はまた、情報及びプロセッサ３０４により実行される命令を記憶するための、ランダムアクセスメモリ（ＲＡＭ）又は他のダイナミックメモリのようなメインメモリ３０８を含むことができる。メインメモリ３０８はまた、プロセッサ３０４により実行される命令の実行中に一時変数又は他の中間情報を記憶するのに用いることができる。コンピュータシステム３００は同様に、静的情報及びプロセッサ３０４向けの命令を記憶するため、バス３０２に結合された読み出し専用メモリ（ＲＯＭ）又は他の静的記憶デバイスを含むことができる。
【００２７】
コンピュータシステム３００はまた、情報記憶システム３１０を含むことができ、該情報記憶システム３１０は、例えば、媒体ドライブ３１２及びリムーバブルストレージインタフェース３２０を含むことができる。メディアドライブ３１２は、ハードディスクドライブ、フロッピー（登録商標）ディスクドライブ、磁気テープドライブ、光学ディスクドライブ、ＣＤ又はＤＶＤドライブ（Ｒ又はＲＷ）、或いは他のリムーバブル又は固定媒体ドライブなど、固定又はリムーバブル記憶媒体をサポートするドライブ又は他の機構を含むことができる。これらの例示的な実施例として、記憶媒体３１８は、特定のコンピュータソフトウェア又はデータを記憶したコンピュータ可読記憶媒体を含むことができる。
【００２８】
代替の実施形態において、情報記憶システム３１０は、コンピュータプログラム又は他の命令もしくはデータをコンピュータシステム３００にロードできるようにする他の同様の構成要素を含むことができる。こうした構成要素は、例えば、プログラムカートリッジとカートリッジインタフェース、リムーバブルメモリ（例えば、フラッシュメモリ又は他のリムーバブルメモリモジュール）とメモリスロットのようなリムーバブル記憶ユニット３２２及びインタフェース３２０、並びにリムーバブル記憶ユニット３１８からコンピュータシステム３００にソフトウェア及びデータを転送可能にする他のリムーバブル記憶ユニット３２２及びインタフェース３２０を含むことができる。
【００２９】
コンピュータシステム３００はまた、通信インタフェース３２４を含むことができる。通信インタフェース３２４を用いて、コンピュータシステム３００と外部デバイスとの間でソフトウェア及びデータを転送可能にすることができる。通信インタフェース３２４の実施例は、モデム、ネットワークインタフェース（Ｅｔｈｅｒｎｅｔ（登録商標）又は他のＮＩＣカードなど）、通信ポート（例えばＵＳＢポートなど）、ＰＣＭＣＩＡスロット及びカード、その他を含むことができる。通信インタフェース３２４を介して転送されるソフトウェア及びデータは、通信インタフェース３２４が受け取ることが可能な電気信号、電磁信号、光学信号、又は他の信号とすることができる信号形式である。これらの信号は、チャンネル３２８を介して通信インタフェース３２４に提供される。このチャンネル３２８は、信号を伝搬することができ、無線媒体、有線又はケーブル、光ファイバ、或いは他の通信媒体を用いて実施することができる。チャンネルの一部の実施例は、電話回線、携帯電話リンク、ＲＦリンク、ネットワークインタフェース、ローカルエリア又はワイドエリアネットワーク、及び他の通信チャンネルを含むことができる。
【００３０】
本明細書において用語「コンピュータプログラム製品」、「コンピュータ可読媒体」、及び同様のものは、一般に、例えばメモリ３０８、記憶デバイス３１８、又は記憶ユニット３２２などの媒体を指すのに用いることができる。コンピュータ可読媒体のこれら及び他の形式は、プロセッサに特定のオペレーションを実行させるためにプロセッサ３０４が使用する１又はそれ以上の命令を記憶することに関わることができる。こうした命令は一般に、「コンピュータプログラムコード」（コンピュータプログラムの形式又は他の分類にグループ化することができる）と呼ぶことができ、実行時には、コンピュータシステム３００が本発明の実施形態の特徴又は機能を実施することができる。当該コードにより、プロセッサに対して直接、特定のオペレーションを実施させ、特定のオペレーションを行うようにコンパイルし、及び／又は特定のオペレーションを行うように他のソフトウェア、ハードウェア及び／又はファームウェア要素（例えば、標準機能を実施するライブラリ）と組み合わせることができるようになる点に留意されたい。
【００３１】
ソフトウェアを用いて要素が実装される実施形態では、ソフトウェアは、コンピュータ可読媒体内に記憶され、例えばリムーバブル記憶ドライブ３１４、ドライブ３１２、又は通信インタフェース３２４を用いてコンピュータシステム３００にロードすることができる。制御ロジック（この実施例では、ソフトウェア命令又はコンピュータプログラムコード）によって、プロセッサ３０４が実行した時には、プロセッサ３０４が本明細書で説明する本発明の機能を実行するようになる。
【００３２】
明確にするために、上記の説明は、様々な機能ユニット及びプロセッサに関して本発明の実施形態を記載している点は理解されるであろう。しかしながら、本発明から逸脱することなく、様々な機能ユニット、プロセッサ又はドメイン間での機能のあらゆる好適な分散が利用できることは明らかであろう。例えば、別個のプロセッサ又はコントローラにより実施されるように例証される機能は、同じプロセッサ又はコントローラで実施してもよい。よって、特定の機能ユニットの記載は、厳密な論理又は物理的構造又は機構を表すのではなく、説明した機能を可能にする好適な手段を単に記載しているものとみなすべきである。
【００３３】
幾つかの実施形態に関連して本発明を説明してきたが、本発明は、本明細書に記載する特定の形態に限定されるものではない。むしろ、本発明の範囲は請求項によってのみ限定される。加えて、特定の実施形態に関連して特徴が説明しているようであるが、当業者であれば、説明された実施形態の種々の特徴は本発明に従って組み合わせてもよい点は理解されるであろう。
【００３４】
更に、個々に挙げられているが、複数の手段、要素、又は方法ステップは、例えば単一のユニット又はプロセッサにより実施することができる。加えて、個々の特徴が異なる請求項に含めることができるが、場合によってはこれらを組み合わせることが有利となる可能性があり、異なる請求項における包含は、特徴の組み合わせが実行可能ではない及び／又は好都合ではないことを意味するものではない。また、各請求項の１つのカテゴリーにおける特徴の包含は、このカテゴリーに限定することを意味するのではなく、むしろ必要に応じて他の請求項のカテゴリーにも同時に適用可能とすることができる。
【００３５】
更に、本発明の精神及び範囲から逸脱することなく、当業者は種々の修正形態及び変形形態を実施することができる。本発明は、上述の例示的な詳細事項に限定されず、請求項によって定義されるものとする。
【符号の説明】
【００３６】
１０２  創作者
１０４  変換者
１０６  サービスプロバイダ
１０８  再配給業者
１１０  広告主
１１２  消費者
【図１】
2010503065.tif 000003
【図２】
2010503065.tif 000004
【図３】
2010503065.tif 000005
【図４】
2010503065.tif 000006
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
ネットワーク上のサーバに配置された、メディアの再フォーマットを可能にする装置であって、
第１のフォーマットのメディアオブジェクトが第２のフォーマットへの変換に利用可能であることを示すロジックと、
前記第２のフォーマットでの前記メディアオブジェクトの表示をネットワーク上で受信するロジックと、
前記第２のフォーマットでのメディアオブジェクトを前記第１のフォーマットのメディアオブジェクトと関連付けるロジックと、
前記表示を少なくとも１つの受信者が利用できるようにするロジックと、
を備える装置。
【請求項２】
前記第１のフォーマットでの前記メディアオブジェクトのプロバイダが前記第１のフォーマットのメディアオブジェクトを変換する許可を与えることを可能にするための許可ロジックを更に備える、
請求項１に記載の装置。
【請求項３】
前記第１のフォーマットでの前記メディアオブジェクトのプロバイダが前記第２のフォーマットでの前記メディアオブジェクトの掲載を承認することを可能にするための許可ロジックを更に備える、
請求項１に記載の装置。
【請求項４】
許可された権利を前記第２のフォーマットのメディアオブジェクトに関連付けるための権利管理ロジックを更に備える、
請求項１に記載の装置。
【請求項５】
前記変換者に関する評価に基づいて、変換すべきメディアオブジェクトを前記変換者に対して提案するレコメンデーションロジックを更に備える、
請求項１に記載の装置。
【請求項６】
前記変換者の少なくとも１つの選好に基づいて、変換すべきメディアオブジェクトを前記変換者に対して提案するレコメンデーションロジックを更に備える、
請求項１に記載の装置。
【請求項７】
広告のフォーマットに関する情報を前記ネットワーク上で受信するロジックと、
前記第２のフォーマットのメディアオブジェクトを再生するために広告フォーマットと再生デバイスのフォーマット性能との間の互換性を判定し、互換性が判定された場合に前記広告を前記第２のフォーマットのメディアオブジェクトと関連付ける一致ロジックと、
互換性が判定された場合に前記関連付けを受信者が利用できるようにするロジックと、
を更に備える、
請求項１に記載の装置。
【請求項８】
メディアの再フォーマットを可能にする方法であって、前記方法がネットワーク上のサーバにおいて、
第１のフォーマットのメディアオブジェクトが第２のフォーマットへの変換に利用可能であることを示す段階と、
前記第２のフォーマットでの前記メディアオブジェクトの表示をネットワーク上で受信する段階と、
前記第２のフォーマットでのメディアオブジェクトを前記第１のフォーマットのメディアオブジェクトと関連付ける段階と、
前記表示を少なくとも１つの受信者が利用できるようにする段階と、
を含む方法。
【請求項９】
前記第１のフォーマットでの前記メディアオブジェクトのプロバイダが前記第１のフォーマットのメディアオブジェクトを変換する許可を与えることを可能にする段階を更に含む、
請求項８に記載の方法。
【請求項１０】
前記第１のフォーマットでの前記メディアオブジェクトのプロバイダが前記第２のフォーマットでの前記メディアオブジェクトの掲載を承認することを可能にする段階を更に含む、
請求項８に記載の方法。
【請求項１１】
許可された権利を前記第２のフォーマットのメディアオブジェクトに関連付ける段階を更に含む、
請求項８に記載の方法。
【請求項１２】
前記変換者に関する評価に基づいて、変換すべきメディアオブジェクトを前記変換者に対して提案する段階を更に含む、
請求項８に記載の方法。
【請求項１３】
前記変換者の少なくとも１つの選好に基づいて、変換すべきメディアオブジェクトを前記変換者に対して提案する段階を更に含む、
請求項８に記載の方法。
【請求項１４】
広告のフォーマットに関する情報を前記ネットワーク上で受信する段階と、
前記広告フォーマットと前記第２のフォーマットとの間の互換性を判定する段階と、
互換性が判定された場合に前記広告を前記第２のフォーマットのメディアオブジェクトと関連付ける段階と、
互換性が判定された場合に前記関連付けを受信者が利用できるようにする段階と、
を更に含む、
請求項８に記載の方法。
【国際調査報告】
2010503065.tif 000007